(57)【要約】    洗剤添加剤は、活性物質であって、テトラアセチルエチレンジアミンまたはトリアセチルエチレンジアミンのうちの一方または両方を含む活性物質と、マイケルドナーとして機能する化合物、およびマイケルアクセプターとして機能する化合物の反応生成物と、を含み、マイケルドナーとして機能する化合物は、アセトアセテートエステル、シアノアセテートエステル、およびマロン酸エステルからなる群から選択され、マイケルアクセプターとして機能する化合物は、多官能性アクリレートであり、洗剤添加剤中のテトラアセチルエチレンジアミンの重量パーセントは、１０〜９０パーセントである。  【選択図】なし【特許請求の範囲】
【請求項１】
洗剤添加剤であって、
活性物質であって、テトラアセチルエチレンジアミンまたはトリアセチルエチレンジアミンのうちの一方または両方を含む前記活性物質と、
マイケルドナーとして機能する化合物、およびマイケルアクセプターとして機能する化合物の反応生成物と、を含み、
前記マイケルドナーとして機能する化合物が、アセトアセテートエステル、シアノアセテートエステル、およびマロン酸エステルからなる群から選択され、
前記マイケルアクセプターとして機能する化合物が、多官能性アクリレートであり、
前記洗剤添加剤中の前記テトラアセチルエチレンジアミンの重量パーセントが、１０〜９０パーセントである、洗剤添加剤。
【請求項２】
前記多官能性アクリレートが、１，４−ブタンジオールジアクリレート、ジプロピレングリコールジアクリレート、シクロヘキサンジメタノールジアクリレート、アルコキシル化ヘキサンジオールジアクリレート、ビスフェノールＡジアクリレート、ジエチレングリコールジアクリレート、エトキシ化ビスフェノールＡジアクリレート、１，６−ヘキサンジオールジアクリレート、ネオペンチルグリコールジアクリレート、ポリエチレングリコールジアクリレート、プロポキシ化ネオペンチルグリコールジアクリレート、テトラエチレングリコールジアクリレート、トリエチレングリコールジアクリレート、およびトリプロピレングリコールジアクリレートからなる群から選択されるジアクリレートである、請求項１に記載の洗剤添加剤。
【請求項３】
前記多官能性アクリレートが、トリメチルプロパントリアクリレート、エトキシ化トリメチルプロパントリアクリレート、トリス（２−ヒドロキシエチル）イソシアヌレートトリアクリレート、プロポキシ化グリセリルトリアクリレート、およびペンタエリスリトールトリアクリレートからなる群から選択されるトリアクリレートである、請求項１に記載の洗剤添加剤。
【請求項４】
前記多官能性アクリレートが、プロポキシル化トリメチロールプロパン、アクリル化ポリエステルオリゴマー、およびアクリル化ウレタンオリゴマーからなる群から選択される、請求項１に記載の洗剤添加剤。
【請求項５】
前記アセトアセテートエステルが、アセトアセテートエチル、１−ブチルアセトアセテート、メチルアセトアセテート、２−エチルヘキシルアセトアセテート、ラウリルアセトアセテート、アリルアセトアセテート、１，４−ブタンジオールジアセトアセテート、１，６−ヘキサンジオールジアセトアセテート、ネオペンチルグリコールジアセトアセテート、シクロヘキサンジメタノールジアセトアセテート、エトキシル化ビスフェノールＡジアセトアセテート、トリメチロールプロパントリアセトアセテート、グリセリントリアセトアセテート、およびペンタエリスリトールテトラアセトアセテートからなる群から選択されるモノ、ジ、トリ、またはテトラアセトアセテートである、請求項１に記載の洗剤添加剤。
【請求項６】
前記シアノアセテートエステルが、エチルシアノアセテート、ブチルシアノアセテート、メチルシアノアセテート、２−エチルヘキシルシアノアセテート、ラウリルシアノアセテート、アリルシアノアセテート、および１，４−ブタンジオールビス（シアノアセテート）からなる群から選択されるモノ、またはビスシアノアセテートである、請求項１に記載の洗剤添加剤。
【請求項７】
前記マロン酸エステルが、ジエチルマロネート、ジメチルマロネート、ジブチルマロネート、ビス（２−エチルヘキシル）マロネート、ジラウリルマロネート、およびジアリルマロネートからなる群から選択される、請求項１に記載の洗剤添加剤。
【請求項８】
前記反応生成物が、マイケル触媒として機能する化合物の存在下で反応する、請求項１に記載の洗剤添加剤。
【請求項９】
前記マイケル触媒として機能する化合物が、有機または無機の塩基である、請求項８に記載の洗剤添加剤。
【請求項１０】
前記マイケル触媒として機能する前記化合物が、１，１，３，３−テトラメチルグアニジン、１，８−ジアザビシクロ［５．４．０］ウンデカ−７−エン、ＮａＯＨ、ＫＯＨ、Ｋ２ＣＯ３からなる群から選択される、請求項８に記載の洗剤添加剤。
【請求項１１】
前記洗剤添加剤中の前記活性物質のカプセル化効率が６０〜１００パーセントである、請求項１〜１０のいずれか一項に記載の洗剤添加剤。
【発明の詳細な説明】
【背景技術】
【０００１】
活性物質をカプセル化することが望ましい多くの用途が存在する。例えば、衣服等の織物は、典型的には、織物を、洗剤成分と漂白剤等の他の任意選択的な活性物質との組み合わせである洗剤配合物と接触させることにより洗浄される。使いやすさのために、多くの洗剤配合物のユーザーは、洗剤と任意選択的な活性物質とが単一の製品に組み込まれたオールインワン製品を好む。さらに、多くのユーザーは、固体または粒状製品と比較して、この製品が液体であることを好む。
【発明の概要】
【発明が解決しようとする課題】
【０００２】
一般的な洗浄活性物質の１つは、テトラアセチルエチレンジアミン（ＴＡＥＤ）である。ＴＡＥＤは、ペルオキシ漂白活性化剤および微生物制御剤として機能する。ＴＡＥＤは、固形洗剤製品で広く使用されている。ＴＡＥＤは、一部に水を含む液体洗剤配合物では、加水分解されると、ＴＡＥＤが反応して、洗剤活性物質として有効ではないＮ，Ｎ’ジアセチルエチレンジアミン（ＤＡＥＤ）を形成するため、洗剤活性物質としての有効性を失う。そのため、ＴＡＥＤは、変性させずに使用する場合、水性洗剤配合物の活性物質としては理想的ではない。トリアセチルエチレンジアミン（ＴｒｉＡＥＤ）は、別の洗剤活性物質である。水を含有する配合物における使用に適した活性物質を含有する添加剤が望ましい。
【課題を解決するための手段】
【０００３】
洗剤添加剤は、活性物質であって、テトラアセチルエチレンジアミンまたはトリアセチルエチレンジアミンのうちの一方または両方を含む活性物質と、マイケルドナーとして機能する化合物、およびマイケルアクセプターとして機能する化合物の反応生成物と、を含み、マイケルドナーとして機能する化合物は、アセトアセテートエステル、シアノアセテートエステル、およびマロン酸エステルからなる群から選択され、マイケルアクセプターとして機能する化合物は、多官能性アクリレートであり、洗剤添加剤中のテトラアセチルエチレンジアミンの重量パーセントは、１０〜９０パーセントである。
【発明を実施するための形態】
【０００４】
本開示は、テトラアセチルエチレンジアミン（ＴＡＥＤ）またはトリアセチルエチレンジアミン（ＴｒｉＡＥＤ）のうちの一方または両方と、マイケル反応の一部として、マイケルドナーとして機能する化合物、およびマイケルアクセプターとして機能する化合物の反応生成物と、を含む添加剤について記載する。マイケル反応の一部として、マイケルドナーとして機能する化合物、およびマイケルアクセプターとして機能する化合物の反応生成物は、本明細書では概してマイケル生成物と称される。マイケル反応は、マイケル触媒の存在下で、α，β−不飽和カルボニル化合物（例えば、アクリレート）などの活性化オレフィン（マイケルアクセプターとして機能する化合物）に対して求核試薬（マイケルドナーとして機能する化合物）を１，４−付加させるものである。
【０００５】
マイケルドナーとして機能する化合物は、アセトアセテートエステル、シアノアセテートエステル、およびマロン酸エステルからなる群から選択される。一事例において、アセトアセテートエステルは、モノ、ジ、トリ、またはテトラアセトアセテートであり、好ましくはアセトアセテートエチル、１−ブチルアセトアセテート、メチルアセトアセテート、２−エチルヘキシルアセトアセテート、ラウリルアセトアセテート、アリルアセトアセテート、１，４−ブタンジオールジアセトアセテート、１，６−ヘキサンジオールジアセトアセテート、ネオペンチルグリコールジアセトアセテート、シクロヘキサンジメタノールジアセトアセテート、エトキシル化ビスフェノールＡジアセトアセテート、トリメチロールプロパントリアセトアセテート、グリセリントリアセトアセテート、またはペンタエリスリトールテトラアセトアセテートのうちの１つである。一事例において、シアノアセテートエステルは、モノ、またはビスシアノアセテートであり、好ましくはエチルシアノアセテート、ブチルシアノアセテート、メチルシアノアセテート、２−エチルヘキシルシアノアセテート、ラウリルシアノアセテート、アリルシアノアセテート、および１，４−ブタンジオールビス（シアノアセテート）のうちの１つである。一事例において、マロン酸エステルは、ジエチルマロネート、ジメチルマロネート、ジブチルマロネート、ビス（２−エチルヘキシル）マロネート、ジラウリルマロネート、またはジアリルマロネートのうちの１つである。
【０００６】
マイケルアクセプターとして機能する化合物は、多官能性アクリレートである。一事例において、多官能性アクリレートは、好ましくは１，４−ブタンジオールジアクリレート、ジプロピレングリコールジアクリレート、シクロヘキサンジメタノールジアクリレート、アルコキシル化ヘキサンジオールジアクリレート、ビスフェノールＡジアクリレート、ジエチレングリコールジアクリレート、エトキシ化ビスフェノールＡジアクリレート、１，６−ヘキサンジオールジアクリレート、ネオペンチルグリコールジアクリレート、ポリエチレングリコールジアクリレート、プロポキシ化ネオペンチルグリコールジアクリレート、テトラエチレングリコールジアクリレート、トリエチレングリコールジアクリレート、およびトリプロピレングリコールジアクリレートのうちの１つから選択されるジアクリレートである。一事例において、多官能性アクリレートは、好ましくはトリメチルプロパントリアクリレート、エトキシ化トリメチルプロパントリアクリレート、トリス（２−ヒドロキシエチル）イソシアヌレートトリアクリレート、プロポキシ化グリセリルトリアクリレート、およびペンタエリスリトールトリアクリレートのうちの１つから選択されるトリアクリレートである。一事例において、多官能性アクリレートは、プロポキシ化トリメチロールプロパン、アクリル化ポリエステルオリゴマー、またはアクリル化ウレタンオリゴマーである。
【０００７】
マイケル反応は、マイケル触媒として機能する化合物を含む反応混合物において実行される。好ましくは、マイケル触媒は、有機または無機の塩基である。マイケル触媒として機能する化合物の例には、１，１，３，３−テトラメチルグアニジン、１，８−ジアザビシクロ［５．４．０］ウンデカ−７−エン、ＮａＯＨ、ＫＯＨ、Ｋ２ＣＯ３が含まれる。
【０００８】
マイケル触媒として機能する化合物は、マイケルドナーとして機能する化合物の０．１〜１０の総モル当量で反応混合物中に存在することが好ましい。反応混合物は、水、アルコール、エーテル、炭化水素、または塩素化炭化水素を含む溶媒の存在下、または非存在下で実行できる。温度は、−１０℃〜１５０℃の範囲であり得る。マイケルドナーとして機能する化合物は、マイケルアクセプターとして機能する化合物との比率において０．５：１〜２．０：１の範囲で存在することが好ましい。
【０００９】
本明細書に記載される添加剤は、最初に分散相を提供することにより調製される。分散相には、水および乳化剤が含まれる。一事例において、乳化剤は、水溶性ポリマーである。一事例において、乳化剤は、界面活性剤である。一事例において、乳化剤は、ポリビニルアルコールまたは置換されたセルロースである。好適な乳化剤の例には、メチルセルロース、脂肪アルコールのエトキシレート、ソルビタンエステル、ポリグリセロール脂肪酸エステル、および有機酸モノグリセリドが含まれる。別に、マイケルドナーとして機能する化合物、マイケルアクセプターとして機能する化合物、および活性物質は、反応混合物中で組み合わされる。分散相は、反応混合物に添加され、混合して乳剤を形成する。次いで、マイケル触媒として機能する化合物は、添加剤が乳剤中に懸濁したビーズとして形成されるまで混合して、乳剤に添加する。固形物添加剤ビーズは単離され、ふるいを押し通すなどによって微粒子に形成される。
【００１０】
添加剤は、９０重量パーセント以下の活性物質、および１０重量パーセント以上のマイケル生成物である。添加剤は、７５重量パーセント以下の活性物質、および２５重量パーセント以上のマイケル生成物である。好ましくは、添加剤は、５０重量パーセント以下の活性物質、および５０重量パーセント以上のマイケル生成物である。
【００１１】
本明細書に記載される添加剤は、例えばＴＡＥＤなどの活性物質のみよりも、水性系おいてより良好な安定性を有する。例えば、添加剤が洗剤添加剤であり、洗濯機において使用される場合、活性物質はコポリマーから放出され、洗浄システム内で該活性物質が利用可能となり、その洗浄性強化機能を果たす。
【００１２】
添加剤顆粒は、任意で粉砕または粉末形態に製粉して、放出プロファイルが制御または遅延される固体活性成分を得ることができる。
【００１３】
本明細書に記載されるように、添加剤は、活性物質をカプセル化するか、または部分的にカプセル化する。本明細書で使用される場合、「カプセル化された」とは、マイケル生成物ネットワーク内に結合または保持されている活性物質を指す。本明細書に記載の添加剤は、誘因事象（本開示の文脈では、誘因事象は洗濯機内での使用であり得る）中に活性物質を放出するように設計される。カプセル化されている活性物質に言及する場合、それは、トリガーイベントの前にマイケル生成物ネットワーク内に保持されている活性物質を指す。本開示の方法に従って調製された添加剤は、３０〜１００パーセントのカプセル化効率を有する。好ましくは、本開示の方法に従って調製された添加剤は、６０〜１００パーセントのカプセル化効率を有する。より好ましくは、本開示の方法に従って調製された添加剤は、９０〜１００パーセントのカプセル化効率を有する。本明細書で使用される場合、「カプセル化効率」は、添加剤のマイケル生成物ネットワークにおいてカプセル化される見込みのある活性物質の割合を指す。
【００１４】
本明細書に記載の方法は、他のタイプの固体粉末系の調製に適している。例えば、本明細書に記載の方法には、布地柔軟剤、洗剤活性物質、漂白剤活性物質、肥料、微量栄養素、害虫駆除剤（殺真菌剤、殺菌剤、殺虫剤、殺ダニ剤、殺線虫剤など）、殺生物剤、微生物防除剤、ポリマー潤滑剤、難燃剤、顔料、染料、尿素阻害剤、食品添加物、香料、医薬品、組織、抗酸化剤、化粧品成分（香料、香水など）、土壌改良剤（防汚剤、汚れ放出剤など）、触媒、診断薬、光保護薬（ＵＶブロッカーなど）をカプセル化することが含まれるが、これらに限定されない。
【００１５】
活性物質は、本明細書に記載されるカプセル化方法に適合するために、水への非常に低い溶解度を有するように選択される。好ましくは、活性物質の水への溶解度は、２５℃で１％（ｗ／ｗ）以下である。好ましくは、活性物質の水への溶解度は、２５℃で０．５％（ｗ／ｗ）以下である。本明細書で使用される（ｗ／ｗ）は、水の特定の温度での、水の重量あたりの活性物質の重量を指す。
【実施例】
【００１６】
材料およびカプセル化の実施例
実施例１
ペンタエリスリトールトリアクリレート（ＳＲ４４４）は、Ｓａｒｔｏｍｅｒ社から入手した。ＴＡＥＤは、Ａｌｆａ  Ａｅｓａｒから入手した。他の全ての化学物質は、Ｓｉｇｍａ−Ａｌｄｒｉｃｈから入手し、受領したままで使用した。脱イオン（ＤＩ）水を、さらに精製することなく使用した。
【表１】
2020530041.tif 000002
【００１７】
表１に列挙された配合に従って、分散相（ＤＩ水、メチルセルロース）を、小さなガラス瓶内において攪拌子で２分間攪拌して調製した。
【００１８】
表１に示すように、マイケルドナー、マイケルアクセプター、およびＴＡＥＤの所定量を、攪拌棒および２つのガラス栓を備えた１００ｍｌの３つ口フラスコに添加した。マイケルドナー、およびマイケルアクセプターの総量は２０グラムであるため、マイケルドナー、およびマイケルアクセプターの組み合わせに対するＴＡＥＤの重量比は１：２である。攪拌棒を、高速オーバーヘッド攪拌機に接続し、ミキサーの電源をゆっくりと入れた。２分間撹拌した後、撹拌を停止し、分散相をフラスコに添加した。攪拌機を稼働させ、ｒｐｍを２５００ｒｐｍで徐々に最大に上げた。高速攪拌を２分間継続し、次に別で２分間、２０００ｒｐｍに減速した。１，１，３，３−テトラメチルグアニジン（ＴＭＧ）を、攪拌した乳剤に滴下した。２時間の撹拌後にポリマービーズが取得された。固形物粒子を単離し、ＤＩ水で洗浄し、遠心分離した。固形物粒子を収集し、３５℃の真空オーブンで２時間乾燥させた。固形物は、２００ミクロンのふるいに押し通すことによって簡単に微粒子に粉砕した。
【００１９】
実施例２
【表２】
2020530041.tif 000003
実施例２の配合物について、実施例１の手順を繰り返した。取得された固形生成物は、５００ミクロンのふるいに押し通すことによって簡単に微粒子に粉砕した。ＴＡＥＤとマイケルドナーおよびマイケルアクセプターの組み合わせの重量比は、３：１である。
【００２０】
カプセル化性能評価
方法１：青色の食用色素の漂白（酸化）
水性青色化食用色素（ＦＤ＆Ｃ  ｂｌｕｅ  ＃１、トリアリールメタン色素）の５滴を、５００ｍｌの水に添加し、１時間混合して均一な色素／水溶液を生成した。表３に示すように、１グラムの色素／水溶液と、１グラムのＳｉｇｍａ−Ａｌｄｒｉｃｈから購入したＨ２Ｏ２  ３０％水溶液と、標的化した量のＴＡＥＤ（表３に記載）と、をバイアルに添加し、５分間混合した。
【００２１】
漂白（酸化）性能を示す青色の低下を１２時間後に評価し、対照試料および比較試料を比較した。対照および比較試料を、表３に提供される配合に従って調製した（注釈、比較試料内で提供されるＴＡＥＤはカプセル化されていないが、バイアルに直接的に提供されており、対照試料は、ＴＡＥＤが存在しない場合においてはＨ２Ｏ２である）。
【表３】
2020530041.tif 000004
【００２２】
表３に示すように、室温で一晩（１２時間）放置すると、カプセル化されていないＴＡＥＤの比較バイアルは青色に漂白化（退色化）されていた。過酸化水素を伴い、ＴＡＥＤを含まない対照バイアルは、観察できる色の変化は有しなかった。カプセル化されたＴＡＥＤを有するバイアル１は、１２時間後に同じ青色を有することが観察され、良好なカプセル化効率を示す。
【００２３】
方法２：ＴＡＥＤからＤＡＥＤへの加水分解を決定するためのＨＰＬＣ分析
表１および２に列挙される実施例から選択される０．５ｇのカプセル化されていないＴＡＥＤ、およびカプセル化されたＴＡＥＤ粉末を、各々、２０ｇのＡｌｌ（商標）Ｍｉｇｈｔｙ  Ｐａｃ（商標）洗剤を含むバイアルに個別に添加し、１０分間振盪した。各バイアルからの混合物の１滴（約０．１ｇ）を、１０ｇの１：３アセトニトリル／Ｈ２Ｏ溶媒を含む別々のバイアルに個別に添加し、１５分間超音波処理して固形物ＴＡＥＤを完全に溶解した。調製した試料のジアセチルエチレンジアミン（ＤＡＥＤ）濃度は、クォータナリポンプおよびダイオードアレイ検出器を備えたＡｇｉｌｅｎｔ  １１００高速液体クロマトグラフィ（Ｈｉｇｈ−Ｐｅｒｆｏｒｍａｎｃｅ  Ｌｉｑｕｉｄ  Ｃｈｒｏｍａｔｏｇｒａｐｈｙ（ＨＰＬＣ））を使用して測定された。ＨＰＬＣ法の条件を表４に要約する。
【表４】
2020530041.tif 000005
【表５】
2020530041.tif 000006
【００２４】
表５に示すように、ＴＡＥＤについて全くカプセル化されていない。ＤＡＥＤ濃度は劇的に増加するが、他の実施例において、ＤＡＥＤはゆっくり増加した。ＤＡＥＤはＴＡＥＤの劣化から生成されたため、ＤＡＥＤのゆっくりとした放出プロファイルは、カプセル化効率が良好であり、カプセル化外郭による効果的な保護を示す。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
洗剤添加剤であって、
活性物質であって、テトラアセチルエチレンジアミンまたはトリアセチルエチレンジアミンのうちの一方または両方を含む前記活性物質と、
マイケルドナーとして機能する化合物、およびマイケルアクセプターとして機能する化合物の反応生成物と、を含み、
前記マイケルドナーとして機能する化合物が、アセトアセテートエステル、シアノアセテートエステル、およびマロン酸エステルからなる群から選択され、
前記マイケルアクセプターとして機能する化合物が、多官能性アクリレートであり、
前記洗剤添加剤中の前記テトラアセチルエチレンジアミンの重量パーセントが、１０〜９０パーセントである、洗剤添加剤。
【請求項２】
前記多官能性アクリレートが、１，４−ブタンジオールジアクリレート、ジプロピレングリコールジアクリレート、シクロヘキサンジメタノールジアクリレート、アルコキシル化ヘキサンジオールジアクリレート、ビスフェノールＡジアクリレート、ジエチレングリコールジアクリレート、エトキシ化ビスフェノールＡジアクリレート、１，６−ヘキサンジオールジアクリレート、ネオペンチルグリコールジアクリレート、ポリエチレングリコールジアクリレート、プロポキシ化ネオペンチルグリコールジアクリレート、テトラエチレングリコールジアクリレート、トリエチレングリコールジアクリレート、およびトリプロピレングリコールジアクリレートからなる群から選択されるジアクリレートである、請求項１に記載の洗剤添加剤。
【請求項３】
前記多官能性アクリレートが、トリメチルプロパントリアクリレート、エトキシ化トリメチルプロパントリアクリレート、トリス（２−ヒドロキシエチル）イソシアヌレートトリアクリレート、プロポキシ化グリセリルトリアクリレート、およびペンタエリスリトールトリアクリレートからなる群から選択されるトリアクリレートである、請求項１に記載の洗剤添加剤。
【請求項４】
前記多官能性アクリレートが、プロポキシル化トリメチロールプロパン、アクリル化ポリエステルオリゴマー、およびアクリル化ウレタンオリゴマーからなる群から選択される、請求項１に記載の洗剤添加剤。
【請求項５】
前記アセトアセテートエステルが、アセトアセテートエチル、１−ブチルアセトアセテート、メチルアセトアセテート、２−エチルヘキシルアセトアセテート、ラウリルアセトアセテート、アリルアセトアセテート、１，４−ブタンジオールジアセトアセテート、１，６−ヘキサンジオールジアセトアセテート、ネオペンチルグリコールジアセトアセテート、シクロヘキサンジメタノールジアセトアセテート、エトキシル化ビスフェノールＡジアセトアセテート、トリメチロールプロパントリアセトアセテート、グリセリントリアセトアセテート、およびペンタエリスリトールテトラアセトアセテートからなる群から選択されるモノ、ジ、トリ、またはテトラアセトアセテートである、請求項１に記載の洗剤添加剤。
【請求項６】
前記シアノアセテートエステルが、エチルシアノアセテート、ブチルシアノアセテート、メチルシアノアセテート、２−エチルヘキシルシアノアセテート、ラウリルシアノアセテート、アリルシアノアセテート、および１，４−ブタンジオールビス（シアノアセテート）からなる群から選択されるモノ、またはビスシアノアセテートである、請求項１に記載の洗剤添加剤。
【請求項７】
前記マロン酸エステルが、ジエチルマロネート、ジメチルマロネート、ジブチルマロネート、ビス（２−エチルヘキシル）マロネート、ジラウリルマロネート、およびジアリルマロネートからなる群から選択される、請求項１に記載の洗剤添加剤。
【請求項８】
前記反応生成物が、マイケル触媒として機能する化合物の存在下で反応し、前記マイケル触媒として機能する化合物が、有機または無機の塩基である、請求項１に記載の洗剤添加剤。
【請求項９】
前記マイケル触媒として機能する前記化合物が、１，１，３，３−テトラメチルグアニジン、１，８−ジアザビシクロ［５．４．０］ウンデカ−７−エン、ＮａＯＨ、ＫＯＨ、Ｋ２ＣＯ３からなる群から選択される、請求項８に記載の洗剤添加剤。
【請求項１０】
前記洗剤添加剤中の前記活性物質のカプセル化効率が６０〜１００パーセントである、請求項１に記載の洗剤添加剤。
【国際調査報告】
2020530041.tif 000007
2020530041.tif 000008